(57)【要約】【課題】  無端ベルトの高さ調整を簡易でコンパクトな構成で容易に行うことができるコンベヤ設備を提供することを目的とする。【解決手段】  本体フレーム２の両端部（コンベヤによる物品の搬送方向の上流端と下流端）においてそれぞれ、無端ベルトが巻回されるボールベアリング３を回転自在に支持するエンドユニット４を連結する際、偏心カラー２２の内接部２２Ａを本体フレーム２の長孔１２Ｂに嵌め込んだ後、連結具２１を貫通孔２２Ｃおよび長孔１２Ｂを介して孔部２５Ａに螺合する。このとき、コンベヤ設備の両端の偏心カラー２２をそれぞれ長孔１２Ｂにおいて上下させ、さらに回転させることによりエンドユニット４を上下動させることにより、上流端および下流端における無端ベルトの高さ調整が行われる。【選択図】          図３
2005179037.tif 000002
【特許請求の範囲】
【請求項１】
平面上に平行に対向して配置された一対の回転自在な回転部材と、これら回転部材間に張設された無端ベルトを備え、前記無端ベルトを駆動することによりこの無端ベルト上に配置された物品を搬送するコンベヤ設備であって、
前記物品の搬送方向と平行に対向して配置された本体フレームと、
前記本体フレームの端部に形成された、連結具を挿通させる鉛直方向に長い長孔と、
前記本体フレームの端部に設けられ、前記回転部材をそれぞれ回転自在に支持し、前記本体フレームに固定するために前記連結具の孔部が前記本体フレームに対向して形成されているエンドユニットと、
前記長孔の鉛直方向とは直角な方向の長さと同じ径を有し、前記長孔に嵌め込まれる内接部と、前記本体フレームの外面部と当接する外接部とから形成され、これら内接部および外接部とを貫通し、内接部および外接部の中心位置から外れた位置を中心として前記連結具を挿通させるための貫通孔が形成され、前記本体フレームの外面部に設けられる偏心カラーと
を備え、
前記本体フレームに前記エンドユニットを連結する際、前記偏心カラーの前記内接部を前記本体フレームの前記長孔に嵌め込んだ後、前記連結具を前記貫通孔および前記長孔を介して前記孔部に螺合すること
を特徴とするコンベヤ設備。
【請求項２】
前記エンドユニットは、前記無端ベルトと平行となるよう前記本体フレームに連結されること
を特徴とする請求項１記載のコンベヤ設備。
【請求項３】
物品が他のコンベヤ装置へ乗り移る際の距離が短くなるように、前記回転部材の径を設定したこと
を特徴とする請求項１または請求項２記載のコンベヤ設備。
【請求項４】
前記回転部材が、複数の回転自在な小径のボールベアリングで構成されたこと
を特徴とする請求項１〜請求項３のいずれか１項に記載のコンベヤ設備。
【発明の詳細な説明】
【技術分野】
【０００１】
本発明は、たとえば物品の搬送を行うために用いられるコンベヤ設備に関するものである。
【背景技術】
【０００２】
従来のコンベヤ設備として、たとえば特許文献１が開示されている。
このコンベヤ設備は、本体フレーム、移動フレーム、ベルト張設手段、ロック手段、回転体および無端状ベルトなどを備えている。なお、コンベヤ設備から物品を搬出（移載）するコンベヤ装置への物品の搬送方向において、コンベヤ設備側を上流側、コンベヤ装置側を下流側とするとともに、物品の搬送方向を長手方向とする。
【０００３】
前記本体フレームは、平面状に形成された搬送部および搬送部から短手方向における両端部からそれぞれ下方へ直角状に折曲されている側部により断面が略コ字状に形成されており、本体フレームの長手方向における上流側の端部には第１ローラが回動自在に支持され、本体フレーム内における第１ローラから僅かに下流側に位置する場所には第２ローラが回動自在に支持されている。
【０００４】
また前記ベルト張設手段は、本体フレームの両側部においてそれぞれ長手方向と平行に設けられたボールねじを備えており、これらボールねじは両端部が支持部を介して側部に回動自在に支持され、また各ボールねじには移動駒がねじ結合されている。
【０００５】
また、ベルト張設手段の各移動駒に回転自在に支持されて、本体フレームの略中央に移動ローラが設けられ、移動ローラはベルト張設手段のボールねじの調整により本体フレームの搬送部に沿って移動可能とされている。なお、移動フレーム内には第３ローラが回動自在に支持されており、本体フレームの下方には駆動プーリが回動自在に支持されている。
【０００６】
また、移動フレームの長手方向における下流側の端部には回転体が設けられており、移動フレームの下流側の端部には支持部材を介して小径のベアリングが回動自在に支持されているシャフトの両端部が固定され、またシャフトは所定間隔をおいて移動フレームに固定された補強リブで支持されている。
【０００７】
この構成のもと、ボールねじのロック状態を解除し、移動ローラを伸張する方向および収縮する方向に移動させることにより、無端状ベルトの張りを一定に維持するよう調節することができる。
【特許文献１】特開平８−３１０６３４号公報
【発明の開示】
【発明が解決しようとする課題】
【０００８】
しかし、上記した従来の構成によると、ベルト張設手段により無端状ベルトのテンションの調整を行うことができたが、無端状ベルトを鉛直方向に調整することができないため、無端状ベルトを水平状態に調整することができず、したがって無端状ベルトが蛇行してしまうという問題があった。
【０００９】
また、ベルト張設手段は、本体フレームの両側部においてそれぞれ長手方向と平行に設けられており、短手方向に幅をとる構造であったため、他のコンベヤと隣接させる際に邪魔になり、近接させることが困難となる。
【００１０】
そこで本発明は、無端ベルトの高さ調整を、簡易で、かつ他のコンベヤと隣接させる際に邪魔にならないコンパクトな構成で容易に行うことができるコンベヤ設備を提供することを目的としたものである。
【課題を解決するための手段】
【００１１】
前記した目的を達成するために、本発明の請求項１記載のコンベヤ設備は、平面上に平行に対向して配置された一対の回転自在な回転部材と、これら回転部材間に張設された無端ベルトを備え、前記無端ベルトを駆動することによりこの無端ベルト上に配置された物品を搬送するコンベヤ設備であって、前記物品の搬送方向と平行に対向して配置された本体フレームと、前記本体フレームの端部に形成された、連結具を挿通させる鉛直方向に長い長孔と、前記本体フレームの端部に設けられ、前記回転部材をそれぞれ回転自在に支持し、前記本体フレームに固定するために前記連結具の孔部が前記本体フレームに対向して形成されているエンドユニットと、前記長孔の鉛直方向とは直角な方向の長さと同じ径を有し、前記長孔に嵌め込まれる内接部と、前記本体フレームの外面部と当接する外接部とから形成され、これら内接部および外接部とを貫通し、内接部および外接部の中心位置から外れた位置を中心として前記連結具を挿通させるための貫通孔が形成され、前記本体フレームの外面部に設けられる偏心カラーとを備え、前記本体フレームに前記エンドユニットを連結する際、前記偏心カラーの前記内接部を前記本体フレームの前記長孔に嵌め込んだ後、前記連結具を前記貫通孔および前記長孔を介して前記孔部に螺合することを特徴としたものである。
【００１２】
上記構成によれば、無端ベルトの水平状態を調整する際、まず連結具を緩め、本体フレームの長手方向における両端に設けられた偏心カラーが、長孔の鉛直方向に沿って上下動を行え、また回転できるようにする。続いて両端の偏心カラーを上下させて両エンドユニットの高さの粗調整を行い、さらに偏心カラーを回転させてエンドユニットの高さの微調整を行うことにより、無端ベルトを水平な状態に調整し、そして再度連結具の締付けを行う。これにより、本体フレームの長手方向における両端のエンドユニットの高さ調整により無端ベルトの水平状態の調整を容易におこなうことができ、また偏心カラーを用いているためシンプルに構成することができる。
【００１３】
また請求項２に記載の発明は、請求項１に記載の発明であって、前記エンドユニットは、前記無端ベルトと平行となるよう前記本体フレームに連結されること
を特徴としたものである。
【００１４】
上記構成によれば、エンドユニットは、無端ベルトと平行、すなわちエンドユニットの上面が無端ベルトのベルト面と平行となるよう本体フレームに連結され、エンドユニットの取り付けスペースが鉛直方向ではなく水平方向となることから、下流端の本体フレームにおける縦板部の下部を三角形状に切り欠くことができ、よって、たとえばベルトコンベヤに隣接させる際、コンベヤ設備の下流端をベルトコンベヤに近接して配設することができる。
【００１５】
また請求項３に記載の発明は、請求項１または請求項２に記載の発明であって、物品が他のコンベヤ装置へ乗り移る際の距離が短くなるように、前記回転部材の径を設定したことを特徴としたものである。
【００１６】
上記構成によれば、エンドユニットにおける回転部材の径を小さく設定すると、コンベヤ設備をより他のコンベヤ設備に近接することが可能となり、コンベヤ設備の無端ベルトにおける下流端から他のコンベヤ設備における上流端までの距離、すなわち物品が他のコンベヤ設備へ乗り移る際の距離を短くすることができる。このように、物品が他のコンベヤ装置へ乗り移る際の距離が短くなるように、回転部材の径が設定される。
【００１７】
また請求項４に記載の発明は、請求項１〜請求項３のいずれか１項に記載の発明であって、前記回転部材が、複数の回転自在な小径のボールベアリングで構成されたことを特徴としたものである。
【００１８】
上記構成によれば、ボールベアリングを用いることにより、回転部材の径を小さくすることができるため、コンベヤ設備をベルトコンベヤに近接して配設することができる。
【発明の効果】
【００１９】
本発明のコンベヤ設備は、本体フレームの長手方向における両端のエンドユニットの高さ調整により無端ベルトの水平状態の調整を容易におこなうことができるため、無端ベルトの蛇行を防止することができ、また偏心カラーを用いることにより、コンパクトに、短手方向の出っ張りを大幅になくした無端ベルトの水平調整手段を構成でき、コンベヤ設備を他のコンベヤ設備に近接させるときに邪魔となることを防止できる。
【発明を実施するための最良の形態】
【００２０】
以下に、本発明の実施の形態におけるコンベヤ設備について、図面を参照しながら説明する。
図１および図２に示すように、コンベヤ設備１は、物品２１の搬送方向Ｘである長手方向と平行に対向して配置された本体フレーム２と、この本体フレーム２の長手方向における両端部（搬送方向Ｘの上流部および下流部）に長手方向にその位置が調整可能に設けられ、ボールベアリング（回転部材の一例）３をそれぞれ回転自在に支持する一対のエンドユニット４と、本体フレーム２の短手方向に配置され、位置調整自在な２つのテンション用案内輪体５と、本体フレーム２の下部に設けられたボックス状の駆動部フレーム６と、駆動部フレーム６内における本体フレーム２の短手方向と平行に配置され、回転自在に設けられた回転駆動用輪体７と、一対のボールベアリング３と２つのテンション用案内輪体５と回転駆動用輪体７との間に亘って巻回され、回転駆動用輪体７の回転駆動力により回転駆動される無端ベルト８と、本体フレーム２下方の左右いずれかの側方に（例えば、搬送方向の上流側から下流側に見て右側に）本体フレーム２の長手方向に沿って配置されるとともに、回転駆動用輪体７を駆動させて無端ベルト８を回動させる回転駆動機（例えば、減速機付き電動機）９と、本体フレーム２の下部横板部１３（後述する）の長手方向における両端部の下部に設けられ、本体フレーム２を支持する脚部１０と、連結具２１（後述する）により本体フレーム２の外面部１２Ａに設けられる偏心カラー２２とを備えている。なお、上記無端ベルト８の短手方向の幅は、本体フレーム２の両縦板部１２（後述する）から僅かに約２ｍｍほど短く形成されており、また無端ベルト８が２つのテンション用案内輪体５によりテンション調整されることにより、無端ベルト８は所望のテンションを維持される。
【００２１】
コンベヤ設備１から物品２１が搬送（移載）されるベルトコンベヤ５１は、本体フレーム２の短手方向の幅より広く形成されたフレーム５２を有し、このベルトコンベヤ５１の端部のローラ５３に接近して、コンベヤ設備１のボールベアリング３が配置される。
【００２２】
図１〜図３に示すように、上記本体フレーム２は、物品３１の搬送方向Ｘを長手方向とする水平状の上部横板部１１と、この上部横板部１１の短手方向における両端部からそれぞれ下方へ直角状に折曲され、上部横板部１１の長手方向における下流部の下側が三角形状に切り欠かれ、両端部に連結具２１を相通させる鉛直方向に長い長孔１２Ｂが形成された一対の縦板部１２と、各縦板部１２の下部から外方へそれぞれ直角状に折曲され、所定間隔おきに挿通孔１３Ａが形成されている下部横板部１３とを有している。
【００２３】
上記エンドユニット４は、図３に示すように、複数の板状の軸受け板２３により支持されているシャフト（軸体）２４に回転自在に支持された複数の小径（約５０ｍｍ）のボールベアリング３を有し、本体フレーム２に固定するために連結具２１の孔部２５Ａが本体フレーム２に対向して形成されているエンドブラケット２５と、締付具（ボルト・ナット）によりエンドブラケット２５に連結されている、本体フレーム２の上部横板部１１の上流部と下流部を支持する補強部材２６とから構成されている。
【００２４】
なお、上述したように下流端の本体フレーム２における縦板部１２の下部が三角形状に切り欠かれているとともに、下流端のエンドユニット４のボールベアリング３は小径で且つ本体フレーム２から突出しているため、下流端の本体フレーム２の端部は急峻に形成される。この構成により、コンベヤ設備１をベルトコンベヤ５１に隣接させる際、コンベヤ設備１をベルトコンベヤ５１にさらに近接して配設させることが可能となる。
【００２５】
上記偏心カラー２２は、長孔１２Ｂの鉛直方向とは直角な方向の長さ（以下、水平方向という）と同じ径を有し、長孔１２Ｂに嵌め込まれる内接部２２Ａと、本体フレーム２の外面部１２Ａと当接する外接部２２Ｂとから形成され、これら内接部２２Ａおよび外接部２２Ｂとを貫通し、内接部２２Ａおよび外接部２２Ｂの中心位置から外れた位置を中心として連結具２１を挿通させるための貫通孔２２Ｃが形成されている。
【００２６】
本体フレーム２にエンドユニット４を連結する際は、偏心カラー２２の内接部２２Ａを本体フレーム２の長孔１２Ｂに嵌め込んだ後、連結具２１を偏心カラー２２の貫通孔２２Ｃおよび本体フレーム２の長孔１２Ｂを介してエンドユニット４の孔部２５Ａに螺合することにより連結が行われる。
【００２７】
以下に、上記した実施の形態における作用を説明する。
図１および図２に示すように、本体フレーム２における縦板部１２の端部が三角形状に切り欠かれた側をベルトコンベヤ５１に向け、下部横板部１３に形成された挿通孔１３Ａを利用して適宜に駆動部フレーム６の位置調整を行い、下流端のエンドユニット４のボールベアリング３をベルトコンベヤ５１の端部のローラ５３の端部に近接して配設させる。
【００２８】
この配設の際、上述したように下流端の本体フレーム２の端部は急峻に形成され、またエンドユニット４におけるボールベアリング３の径は小さく、たとえば約５０ｍｍに設定されているため、コンベヤ設備１の無端ベルト８における下流端Ａからベルトコンベヤ５１のベルト５４における上流端Ｂまでの距離、すなわち物品３１がベルトコンベヤ５１へ乗り移る際の距離を短く、たとえば約１４５ｍｍとすることができ、したがってコンベヤ設備１をベルトコンベヤ５１に近接して配設することができる。
【００２９】
そして、回転駆動機９により回転駆動用輪体７を駆動させて無端ベルト８を回動させ、無端ベルト８上に載置される物品３１をベルトコンベヤ５１へ搬送を行う。
以下に、無端ベルト８の水平な状態に調整する調整方法を説明する。
【００３０】
コンベヤ設備１を組み立てたとき、あるいはコンベヤ設備１の長時間の使用等により無端ベルト８の水平状態が崩れた場合、無端ベルト８の水平状態を調整するため、エンドユニット４の高さ調整を行う。
【００３１】
このとき、まず連結具２１を緩め、本体フレーム２の長手方向における両端に設けられた偏心カラー２２が、長孔１２Ｂの鉛直方向に沿って上下動を行え、また回転できるようにする。続いて両端の偏心カラー２２を上下させて両エンドユニット４の高さの粗調整を行い、さらに偏心カラー２２を回転させてエンドユニット４の高さの微調整を行うことにより、無端ベルト８を水平な状態に調整し、そして再度連結具２１の締付けを行う。
【００３２】
これにより、本体フレーム２の長手方向における両端のエンドユニット４の高さ調整により無端ベルト８の水平状態の調整を容易におこなうことができ、また偏心カラー２２を用いることにより微妙な高さ調整を可能としている。また無端ベルト８を水平な状態に調整する手段を、本体フレーム２に長孔１２Ｂを設けてこの本体フレーム２の長孔１２Ｂに嵌め込む偏心カラー２２の位置を上下調整可能とし、また偏心カラー２２を使用することにより、短手方向の出っ張りを大幅になくしたコンパクトで簡易な構成で実現している。
【００３３】
またエンドユニット４は、無端ベルト８と平行、すなわちエンドユニット４の上面が無端ベルト８のベルト面と平行となるよう本体フレーム２に連結され、エンドユニット４の取り付けスペースが鉛直方向ではなく水平方向となることから、下流端の本体フレーム２における縦板部１２の下側を三角形状に切り欠くことができるため、ベルトコンベヤ５１に隣接させる際、コンベヤ設備１をベルトコンベヤ５１に近接して配設することができる。
【００３４】
以上のように実施の形態によれば、本体フレーム２の長手方向における両端のエンドユニット４の高さ調整により無端ベルト８の水平状態の調整を容易におこなうことができるため、無端ベルト８の蛇行を防止することができ、また偏心カラー２２を用いることにより、無端ベルト８を水平状態に調整する手段を、コンパクトに、かつ短手方向の出っ張りを大幅になくして構成することができ、よってベルトコンベヤ５１に隣接させる際に障害となることを避けることができ、コンベヤ設備１をベルトコンベヤ５１に近接して配設することができる。
【００３５】
また、実施の形態によれば、エンドユニット４は、無端ベルト８と平行、すなわちエンドユニット４の上面が無端ベルト８のベルト面と平行となるよう本体フレーム２に連結され、エンドユニット４の取り付けスペースが鉛直方向ではなく水平方向となることから、下流端の本体フレーム２における縦板部１２の下側を三角形状に切り欠くことができるため、ベルトコンベヤ５１に隣接させる際、コンベヤ設備１をベルトコンベヤ５１に近接して配設することができ、したがって物品３１の乗り移り性を大幅に向上させることができる。
【００３６】
また、実施の形態によれば、エンドユニット４における無端ベルト８の回転部材としてボールベアリング３を用い、このボールベアリング３の径を小さく、たとえば約５０ｍｍに設定することにより、コンベヤ設備１をベルトコンベヤ５１に近接して配設することができ、よってコンベヤ設備１の無端ベルト８における下流端Ａからベルトコンベヤ５１のベルト５４における上流端Ｂまでの距離、すなわち物品３１がベルトコンベヤ５１へ乗り移る際の距離を短く、たとえば約１４５ｍｍとすることができ、物品３１の乗り移り性を大幅に向上させることができる。
【００３７】
なお、上記実施の形態では、物品３１が移載される他のコンベヤ設備としてベルトコンベヤ５１が用いられていたが、他の種類のコンベヤであってもよい。
また、上記実施の形態では、上部横板部１１の長手方向における一方の端部の下側が三角形状に切り欠かれた一対の縦板部１２を用いていたが、両端部の下側が三角形状に切り欠かれた一対の縦板部を用いてもよい。
【図面の簡単な説明】
【００３８】
【図１】本発明の実施の形態におけるコンベヤ設備の平面図である。
【図２】同コンベヤ設備の側面図である。
【図３】同コンベヤ設備の要部の分解斜視図である。
【符号の説明】
【００３９】
１        コンベヤ設備
２        本体フレーム
３        ボールベアリング（回転部材）
４        エンドユニット
８        無端ベルト
１１      上部横板部
１２      縦板部
１２Ａ    外面部
１２Ｂ    長孔
２１      連結具
２２      偏心カラー
２２Ａ    内接部
２２Ｂ    外接部
２２Ｃ    貫通孔
２５Ａ    孔部
３１      物品
【図１】
2005179037.tif 000003
【図２】
2005179037.tif 000004
【図３】
2005179037.tif 000005